(57)【要約】【課題】構造を複雑化することなく、入射光を有効活用でき、結果として、エネルギー消費と二酸化炭素の排出量を抑制する。【解決手段】光制御部材１は、入光面に入光された光を入光方向とは異なる方向に反射させる少なくとも一つの第１光学特性部７を入光面に沿って配置した第１領域５と、入光面に入光された光の反射、該光の吸収、該光の屈折および該光による発光の少なくとも一つを含む光学特性が第１光学特性部とは異なる第２光学特性部８を入光面に沿って配置した第２領域６と、を備える。【選択図】図１
2014238511.tif 000002
【特許請求の範囲】
【請求項１】
入光面に入光された光を入光方向とは異なる方向に反射させる少なくとも一つの第１光学特性部を前記入光面に沿って配置した第１領域と、
前記入光面に入光された光に対する反射特性、屈折特性、吸収特性、透過特性および発光特性の少なくとも一つを含む光学特性が前記第１光学特性部とは異なる第２光学特性部を前記入光面に沿って配置した第２領域と、を備えることを特徴とする光制御部材。
【請求項２】
前記第１光学特性部および前記第２光学特性部は、前記入光面に入光された光に対する光学特性がそれぞれ異なるように、互いに異なる形状を有することを特徴とする請求項１に記載の光制御部材。
【請求項３】
前記第１領域および前記第２領域の配置場所および配置面積の少なくとも一つは、前記入光面に入光される光の入光方向および入光角度の少なくとも一つに基づいて設定されることを特徴とする請求項１または２に記載の光制御部材。
【請求項４】
前記入光面に入光される光は、太陽からの直接光または間接光であることを特徴とする請求項１乃至３のいずれかに記載の光制御部材。
【請求項５】
前記第１領域および前記第２領域は、鉛直方向に沿って配置されることを特徴とする請求項１乃至４のいずれかに記載の光制御部材。
【請求項６】
前記第１領域は、前記第２領域よりも鉛直方向の上側に配置され、
前記入光面から前記第１領域に入光された光は、前記第１領域で反射されて上方に進行し、
前記入光面から前記第２領域に入光された光は、前記第２領域で反射または屈折されて上方または下方に進行することを特徴とする請求項５に記載の光制御部材。
【請求項７】
前記第１領域は、前記第２領域よりも鉛直方向の上側に配置され、
前記入光面から前記第１領域に入光された光は、前記第１領域で反射されて上方に進行し、
前記入光面から前記第２領域に入光された光は、前記第２領域で吸収されることを特徴とする請求項５に記載の光制御部材。
【請求項８】
前記第１領域および前記第２領域は、水平方向に沿って配置されることを特徴とする請求項１乃至４のいずれかに記載の光制御部材。
【請求項９】
前記第１領域および前記第２領域の少なくとも一方は、前記入光面の複数箇所に分散して配置されることを特徴とする請求項１乃至８のいずれかに記載の光制御部材。
【請求項１０】
前記第１領域および前記第２領域は、鉛直方向および水平方向の少なくとも一方の方向に沿って、交互に複数個ずつ配置されることを特徴とする請求項９に記載の光制御部材。
【請求項１１】
前記入光面には、前記第１領域および前記第２領域を含めて３つ以上の領域が設けられ、
前記３つ以上の領域のそれぞれは、前記入光面に入光された光に対する反射特性、屈折特性、吸収特性、透過特性および発光特性の少なくとも一つを含む光学特性が他のすべての領域と異なっており、
前記３つ以上の領域のそれぞれは、前記入光面に沿って所定の順序で配置されることを特徴とする請求項１乃至１０のいずれかに記載の光制御部材。
【請求項１２】
前記入光面から前記第１領域に入光された光の出光方向と、前記入光面から前記第２領域に入光された光の出光方向とは略等しいことを特徴とする請求項１乃至１１のいずれかに記載の光制御部材。
【請求項１３】
前記第１領域および前記第２領域は、可視域、赤外域および紫外域の少なくとも一つの光の反射率、屈折率、吸収率および透過率の少なくとも一つが互いに異なることを特徴とする請求項１乃至１２のいずれかに記載の光制御部材。
【請求項１４】
前記第１領域および前記第２領域は、透明基材上に設けられ、
前記第１光学特性部は、前記透明基材上の前記入光面に沿って配置される第１溝に第１充填物を充填したものであり、
前記第２光学特性部は、前記透明基材上の前記入光面に沿って配置される第２溝に第２充填物を充填したものであり、
前記第１領域内の前記第１溝と、前記第２領域内の前記第２溝とは、形状、サイズ、間隔および数の少なくとも一つが互いに異なることを特徴とする請求項１乃至１３のいずれかに記載の光制御部材。
【請求項１５】
前記第１領域および前記第２領域のそれぞれは、プリズムシート上に設けられ、
前記第１光学特性部および前記第２光学特性部は、前記プリズムシート上の形状、サイズおよび材料の少なくとも一つが異なるプリズム部分であることを特徴とする請求項１乃至１３のいずれかに記載の光制御部材。
【請求項１６】
前記第１領域および前記第２領域の配置と、前記第１領域内の前記第１光学特性部の配置と、前記第２領域内の前記第２光学特性部の配置との少なくとも一つによって外観に現れる、英数文字記号情報、図形情報および画像情報の少なくとも一つを有することを特徴とする請求項１乃至１５のいずれかに記載の光制御部材。
【発明の詳細な説明】
【技術分野】
【０００１】
本発明は、入射光の採り込みを行う光制御部材に関する。
【背景技術】
【０００２】
光制御部材は、入射光の取り込みを制御するものであり、その光学特性に応じて様々な用途に用いることができる。例えば、可視域の光を反射または屈折する光制御部材によって、窓から入射された自然光を、自然光が直接届かない天井等に導くことで、自然光を屋内の間接照明に有効利用することができる。それによって、室内の照明の使用時間を削減でき、また照明強度を弱めることもできることから、二酸化炭素の消費量を削減でき、かつエネルギー消費も抑制できると考えられる。
【０００３】
例えば、ブラインドの羽根を反射材で構成して、羽根で反射された太陽光を天井面に導く技術が開示されている（特許文献１参照）。
【０００４】
また、プリズムシートのプリズム部分の角度を最適化して、直射の太陽光をほぼ平行光のまま採光し、日陰部分をも照射できるようにした技術が開示されている（特許文献２参照）。
【先行技術文献】
【特許文献】
【０００５】
【特許文献１】特開２００２−１０６２７１号公報
【特許文献２】特開２０１０−６７５６５号公報
【発明の概要】
【発明が解決しようとする課題】
【０００６】
太陽光の入光方向と入光角度は、窓の向きや季節により異なり、また日中の時間によっても大きく変動する。このため、採光効果を高めるには、太陽光の入光方向と入光角度が季節と時間によって変化することを考慮する必要があるが、上述した特許文献１と２のいずれも、このことについての有効な対策を提示していない。
【０００７】
例えば、特許文献１の場合、ブラインドの羽根はすべて同じ向きに設定されており、太陽光の入光方向と入光角度が変わると、人間が手動で羽根の向きを変えなければならず、使い勝手がよいとはいえない。
【０００８】
また、特許文献２の場合、一体成形されたプリズムシートを用いており、サイズや形状の異なる複数のプリズムを設けたとしても、太陽光の広範囲の入光方向と入光角度に対応させることはできない。
【０００９】
よって、特許文献１や２を技術を利用した場合、ある限られた季節や時間帯については、所望の採光効率が得られたとしても、それ以外の季節や時間帯では、採光効率が大きく低下するおそれがある。
【００１０】
本発明は、上述した問題点に鑑みてなされたものであり、広範囲からの入射光に対して採光効率を向上できるようにし、これにより、エネルギー消費と二酸化炭素の排出量を抑制可能な光制御部材を提供するものである。
【課題を解決するための手段】
【００１１】
上記の課題を解決するために、本発明の一態様では、入光面に入光された光を入光方向とは異なる方向に反射させる少なくとも一つの第１光学特性部を前記入光面に沿って配置した第１領域と、
前記入光面に入光された光に対する反射特性、屈折特性、吸収特性、透過特性および発光特性の少なくとも一つを含む光学特性が前記第１光学特性部とは異なる第２光学特性部を前記入光面に沿って配置した第２領域と、を備えることを特徴とする光制御部材が設けられる。
【００１２】
前記第１領域および前記第２領域の配置場所および配置面積の少なくとも一つは、前記入光面に入光される光の入光方向および入光角度の少なくとも一つに基づいて設定されてもよい。
【００１３】
前記入光面に入光される光は、太陽からの直接光または間接光であってもよい。
【００１４】
前記第１領域および前記第２領域は、鉛直方向に沿って配置されてもよい。
【００１５】
前記第１領域は、前記第２領域よりも鉛直方向の上側に配置され、
前記入光面から前記第１領域に入光された光は、前記第１領域で反射されて上方に進行し、
前記入光面から前記第２領域に入光された光は、前記第２領域で反射または屈折されて上方または下方に進行するようにしてもよい。
【００１６】
前記第１領域は、前記第２領域よりも鉛直方向の上側に配置され、
前記入光面から前記第１領域に入光された光は、前記第１領域で反射されて上方に進行し、
前記入光面から前記第２領域に入光された光は、前記第２領域で吸収されるようにしてもよい。
【００１７】
前記第１領域および前記第２領域は、水平方向に沿って配置されるようにしてもよい。
【００１８】
前記第１領域および前記第２領域の少なくとも一方は、前記入光面の複数箇所に分散して配置されるようにしてもよい。
【００１９】
前記第１領域および前記第２領域は、鉛直方向および水平方向の少なくとも一方の方向に沿って、交互に複数個ずつ配置されるようにしてもよい。
【００２０】
前記入光面には、前記第１領域および前記第２領域を含めて３つ以上の領域が設けられ、
前記３つ以上の領域のそれぞれは、前記入光面に入光された光に対する反射特性、屈折特性、吸収特性、透過特性および発光特性の少なくとも一つを含む光学特性が他のすべての領域と異なっており、
前記３つ以上の領域のそれぞれは、前記入光面に沿って所定の順序で配置されるようにしてもよい。
【００２１】
前記入光面から前記第１領域に入光された光の出光方向と、前記入光面から前記第２領域に入光された光の出光方向とは略等しくしてもよい。
【００２２】
前記第１領域および前記第２領域は、可視域、赤外域および紫外域の少なくとも一つの光の反射率、屈折率、吸収率および透過率の少なくとも一つが互いに異なっていてもよい。
【００２３】
前記第１領域および前記第２領域は、透明基材上に設けられ、
前記第１光学特性部は、前記透明基材上の前記入光面に沿って配置される第１溝に第１充填物を充填したものであり、
前記第２光学特性部は、前記透明基材上の前記入光面に沿って配置される第２溝に第２充填物を充填したものであり、
前記第１領域内の前記第１溝と、前記第２領域内の前記第２溝とは、形状、サイズ、間隔および数の少なくとも一つが互いに異なっていてもよい。
【００２４】
前記第１領域および前記第２領域のそれぞれは、プリズムシート上に設けられ、
前記第１光学特性部および前記第２光学特性部は、前記プリズムシート上の形状、サイズおよび材料の少なくとも一つが異なるプリズム部分であってもよい。
【００２５】
前記第１領域および前記第２領域の配置と、前記第１領域内の前記第１光学特性部の配置と、前記第２領域内の前記第２光学特性部の配置との少なくとも一つによって外観に現れる、英数文字記号情報、図形情報および画像情報の少なくとも一つを有していてもよい。
【発明の効果】
【００２６】
本発明によれば、構造を複雑化することなく、入射光を有効活用でき、結果として、エネルギー消費と二酸化炭素の排出量を抑制できる。
【図面の簡単な説明】
【００２７】
【図１】（ａ）は第１の実施形態に係る光制御部材１の部分断面図、（ｂ）は光制御部材１の平面図。
【図２】（ａ）は太陽光の入光角度が低い場合のひさし９による遮光範囲を示し、図２（ｂ）は太陽光の入光角度が高い場合のひさし９による遮光範囲を示す図。
【図３】第２の実施形態に係る光制御部材１の断面図。
【図４】第１および第２の実施形態に係る光制御部材１に適用可能なプリズムシート２０の一例を示す図。
【図５】第４の実施形態に係る光制御部材１を貼り付けたロールカーテン３０を示す図。
【図６】図５のロールカーテン３０の使用方法の一例を示す図。
【図７】第５の実施形態に係る光制御部材１の例を示す図。
【図８】ライトシェルフを設ける例を示す図。
【図９】第６の実施形態に係る光制御部材１を説明する図。
【図１０】図９の光制御部材１の拡大断面図。
【発明を実施するための形態】
【００２８】
以下、本発明の実施の形態について、詳細に説明する。
【００２９】
（第１の実施形態）
図１（ａ）は第１の実施形態に係る光制御部材１の部分断面図、図１（ｂ）は光制御部材１の平面図である。図１の光制御部材１は、例えば窓用のガラス３に貼り付けて窓または採光具を作製することが可能であり、いわゆるウインドウフィルムと呼ばれる。この場合、図１の上下が鉛直方向になる。
【００３０】
図１の光制御部材１の内部構造は、例えば複合ガラスの一部として窓または採光具３に一体に組み込まれてもよい。本実施形態では、図１の光制御部材１の内部構造が窓または採光具に一体に組み込まれた場合を含めて、光制御部材１と呼ぶことにする。
【００３１】
図１の光制御部材１の一方の表面（入光面）１ａは、例えば接合層２を介して窓または採光具３に貼り付けられている。また、光制御部材１の他方の面（出光面）１ｂは保護層４で覆われている。
【００３２】
図１の光制御部材１は、その内部構造として、少なくとも第１領域５と第２領域６とを備えている。
【００３３】
第１領域５は、光制御部材１の入光面１ａに入光された光を、入光方向とは異なる方向に反射させる少なくとも一つの第１光学特性部７を有する。この第１光学特性部７は、光制御部材１の母材である透明基材の入光面１ａに沿って配置された溝の内部に第１充填物を充填したものである。
【００３４】
第２領域６は、入光面１ａに入光された光に対する反射特性、屈折特性、吸収特性、および発光特性の少なくとも一つを含む光学特性が第１光学特性部７とは異なる第２光学特性部８を有する。この第２光学特性部８は、光制御部材１の母材である透明基材の入光面１ａに沿って配置された溝の内部に第２充填物を充填したものである。
【００３５】
第１領域５内の溝に充填された第１光学特性部７と、第２領域６内の溝に充填された第２光学特性部８とは、それぞれ複数ずつ所定方向に離隔して配置されており、かつ第１領域５および第２領域６が並んで配置されていることが、特に好ましい。一の光制御部材１に、互いに異なる光学特性が付与された複数の領域が配置されていることで、光制御部材１の使用状況に応じて適した光学特性を各領域ごとに選択することができるからである。また、一定範囲の領域内の複数の溝に一括して同じ充填物を充填できるので、製造効率が向上するからである。したがって、第１領域５や第２領域６はそれぞれ一定の面積範囲を占めていることが好ましく、第１領域５および第２の領域６はいずれも、光制御部材全体の少なくとも１％以上、より好ましくは５％以上、さらに好ましくは１０％以上の面積範囲を占めていることが好ましい。
【００３６】
第１光学特性部７と第２光学特性部８の形状を互いに変えることで、第１光学特性部７と第２光学特性部８の光学特性を互いに相違させることができる。また、第１光学特性部７と第２光学特性部８の充填物を互いに変えることでも、第１光学特性部７と第２光学特性部８の光学特性を互いに相違させることができる。
【００３７】
図１の光制御部材１の第１光学特性部７と第２光学特性部８はそれぞれ、その長手方向を光制御部材１の水平方向（図１の紙面の表裏方向）にしているが、その長手方向を水平方向から傾けてもよい。その際、第１光学特性部７と第２光学特性部８で、それぞれの長手方向を互いに相違させてもよい。これにより、第１光学特性部７と第２光学特性部８が同じ材料で形成され、かつ同じ入光方向から同じ入光角度で光が入光されても、反射方向を互いに相違させることができる。
【００３８】
第１光学特性部７と第２光学特性部８の断面形状は、特に限定されず、例えば、三角形、台形、矩形および円形のいずれでもよい。第１光学特性部７と第２光学特性部８とで、断面形状およびそのサイズを互いに変えることで、第１領域５と第２領域６の光学特性を互いに相違させることができる。断面形状の相違とは、例えば、第１光学特性部７と第２光学特性部８の断面形状の底辺の長さと高さの少なくとも一方が異なることや、底辺とそれに接する辺との為す角度が異なることや、底辺に対向する辺の長さが異なることが考えられる。
【００３９】
また、第１領域５内の第１光学特性部７の配置間隔および数と、第２領域６内の第２光学特性部８の配置間隔および数とを互いに変えてもよく、これによっても、第１領域５と第２領域６の光学特性をより大きく相違させることができる。なお、第１領域５内の第１光学特性部７の配置間隔は必ずしも均一である必要はない。同様に、第２領域６内の第２光学特性部８の配置間隔も必ずしも均一である必要はない。
【００４０】
このように、第１光学特性部７と第２光学特性部８の光学特性を互いに相違させる具体的な手段については種々のものが考えられるが、基本的にはどの手段を採用してもよい。すなわち、第１光学特性部７と第２光学特性部８は、入光面１ａに入光された光に対する反射特性、屈折特性、吸収特性、吸収特性および発光特性の少なくとも一つを含む光学特性が互いに異なっていればよい。言い換えれば、第１光学特性部７と第２光学特性部８は、可視域、赤外域および紫外域の少なくとも一つの波長域における少なくとも一部の光に対する光学特性が互いに異なっていればよい。
【００４１】
赤外域では熱的作用に特に影響する近赤外域に含まれる波長範囲、紫外域では化学的作用に特に影響する近紫外域に含まれる波長範囲の光に対する光学特性が異なっていることが特に好ましい。なお、本明細書では、熱線は赤外域の光と同義であり、化学線は紫外域の光と同義である。
【００４２】
第１光学特性部７と第２光学特性部８は、入射光に対する反射特性、屈折特性、吸収特性、透過特性および発光特性の二以上を含む光学特性が互いに異なっていることが好ましい。複数の光学特性が相違することで、より相補的になるので、入射光をさらに有効活用しやすくなるためである。
【００４３】
図１（ｂ）の例では、第１領域５は第２領域６よりも上方に設けられているが、第１領域５と第２領域６の面積は、同じでもよいし、異なっていてもよい。また、後述するように、第１領域５と第２領域６は、光制御部材１の水平方向の一端側から他端側まで延在されていなくてもよく、水平方向の一部だけに配置されていてもよい。
【００４４】
接合層２と保護層４で挟まれる光制御部材１の内部構造には、溝が形成された母材とこの溝に充填された充填物とが用いられている。
【００４５】
母材は、可視領域の光の少なくとも一部を透過する透明な基材である。母材の主要構成材料は、例えば、アクリル、ポリエステル、ポリオレフィン、またはポリカーボネートなどを主成分とする樹脂である。これらの樹脂は変性されていてもよい。
【００４６】
充填物は、母材に形成された溝に充填され、光制御材料を含有するものである。光制御材料は、充填物の光学特性を付与するためや調節するために用いられる材料である。光制御材料の含有量は、光制御材料の種類や所望の光学特性の程度によって適宜変えることができ、光学特性への影響が大きい光制御材料を用いるときは少量であってもよい。充填物には、光制御材料を保持する機能を有するバインダーや、光制御以外の機能を付与する添加剤などを含有させてもよい。充填物は、例えば、光制御材料、硬化後にバインダーや架橋部として機能する硬化性材料、および任意の添加剤を含む組成物を母材に形成された溝に充填した後、その組成物を加熱したり光や電子線などの電離放射線を照射したりして得ることができる。このとき、光制御材料自体が硬化性材料であったり、光制御材料が熱可塑性樹脂であったりすれば、光制御材料だけでも形状を保持することができるので、充填物はバインダーを含有していなくてもよい。
【００４７】
第１領域５内の第１光学特性部７は、例えば入光面１ａから第１光学特性部７の側面に入光された光を斜め上方に反射させて、屋内の天井に導くことが可能な反射特性を持っている。このような反射特性を第１光学特性部７に持たせるには、入光面１ａからの光が入射される第１光学特性部７の側面の形状を傾斜面にして、かつ第１光学特性部７の屈折率を母材の屈折率よりも小さくすることが考えられる。第１光学特性部７の側面の傾斜角度を変えることで、反射方向を調整することができる。より具体的には、側面の傾斜角度が大きいほど、側面での光の反射方向はより低い方向になる。よって、屋内の天井に反射光を導きたい場合は、第１光学特性部７の側面の傾斜角度を緩やかにするのが望ましい。第１光学特性部７の主要構成材料として、例えば散乱樹脂等の散乱材を含有させることが考えられる。散乱材を用いるのは、入光角度が低いと、表面反射が起こりやすくなるため、第１光学特性部７への入射光を散乱させるのが望ましいためである。
【００４８】
これに対して、第２領域６内の第２光学特性部８は、入光面１ａからの光が入射される側面を傾斜面にし、その傾斜角度を第１光学特性部７の側面の傾斜角度よりも小さくして、入光面１ａから第２光学特性部８の側面に入光された光を、第１光学特性部７よりも急角度で反射させて、屋内の天井に導くようにしてもよい。これにより、第２領域６は第１領域５よりも下方に配置されているが、第１領域５内の第１光学特性部７で反射された光によって照明される屋内天井の照明エリアとほぼ同じエリアを、第２領域６内の第２光学特性部８で反射された光によって照明することができ、採光効率を向上できる。この場合の第２光学特性部８の主要構成材料として、例えばミラー材が考えられる。ミラー材が望ましい理由は、入光角度が高いと、表面反射が起きにくくなることから、ミラー材を用いて表面反射が起きやすくするのが望ましいためである。
【００４９】
あるいは、第２領域６内の第２光学特性部８は、入光面１ａからの光が入射される側面の傾斜角度を大きくして、側面に入光された光を、斜め下方に屈折させてもよい。これにより、本来は日陰になる屋内の窓際のエリアを照明することができる。この場合の第２光学特性部８の主要構成材料は、光制御部材１の母材との屈折率差を抑制可能なポリマー等を用いた高屈折率の積層材料などが考えられる。
【００５０】
また、第１領域５内の第１光学特性部７と第２領域６内の第２光学特性部８の少なくとも一方は、入射光を反射または屈折する機能に加えて、あるいはこの機能に代えて、特定波長領域（例えば、近赤外領域や近紫外領域）の光を吸収する機能を持っていてもよい。近赤外領域の光を吸収する機能を持たせるには、第１光学特性部７と第２光学特性部８の少なくとも一方の光制御材料として熱線吸収材を用いればよい。
【００５１】
さらに、第１光学特性部７と第２光学特性部８の少なくとも一方は、可視領域の少なくとも一部の光を吸収する着色材を光制御材料として含んでいてもよい。第１光学特性部７の界面または第２光学特性部８の界面では、光の屈折率差が生じるため、上記界面で反射された可視光線は、光制御部材１内で繰り返し多重反射を起こす場合もあり得る。その結果、反射光と入射光とが干渉して、光制御部材１の外観として視認される像が多重像となるおそれもある。第１光学特性部７と第２光学特性部８の少なくとも一方に着色粒子を含めれば、第１光学特性部７または第２光学特性部８に光が入光する際に着色粒子が可視光線の一部を吸収し、第１光学特性部７または第２光学特性部８の界面において反射する可視光線の強度を減衰させることができる。これにより、光制御部材１内での可視光線の多重反射の発生および干渉現象の発生を抑制することができ、光制御部材１全体の可視光領域における透過率を大幅に低減させることなく、多重像の発現を抑制することができる。
【００５２】
また、第１領域５内の第１光学特性部７と第２領域６内の第２光学特性部８の少なくとも一方の主要構成材料には、光開始剤、紫外線吸収剤、光安定剤等が含まれていてもよい。
【００５３】
さらに、第１領域５内の第１光学特性部７と第２領域６内の第２光学特性部８の少なくとも一方には、入射光を蓄えて発光する蓄光材が光制御部材として添加されていてもよい。これにより、第１領域５や第２領域６を、室内が暗い夜間等に、所定の色で発光させることができる。第１充填物と第２充填物とで蓄光材の種類を変えることで、第１領域５と第２領域６とを異なる色で発光させることができる。また、第１充填物と第２充填物とで蓄光材の含有量を変えることで、第１領域５と第２領域６とを異なる強度で発光させることができる。
【００５４】
このように、第１光学特性部７と第２光学特性部８は、互いに形状が異なっており、またこれに加えて、第１光学特性部７内の充填物と第２光学特性部８内の充填物は、それぞれの主要構成材料の種類、該主要構成材料の成分比、該主要構成材料に混合される添加材の種類、および該添加材の成分比の少なくとも一つが異なっていてもよい。
【００５５】
建物には、窓の上方にひさしがついていることが多く、このひさしによって高い入光角度からの太陽光は遮光される。図２（ａ）は太陽光の入光角度が低い場合のひさし９による遮光範囲を示し、図２（ｂ）は太陽光の入光角度が高い場合のひさし９による遮光範囲を示している。
【００５６】
これらの図からわかるように、窓内の上側領域には、高い入光角度の太陽光は入光されない。よって、図２（ｃ）に示すように、ひさし９による遮光範囲を上述した第１領域５とし、この領域には、低い入光角度からの太陽光を斜め上方に反射させるような光学特性をもった第１光学特性部７を配置してもよい。この場合、太陽光が入射される第１光学特性部７の側面の傾斜角度は、太陽光が全反射する傾斜角度にする必要がある。
【００５７】
一方、第１領域５の下側に配置される第２領域６には、低い入光角度と高い入光角度の太陽光がともに入光されるため、入光角度の許容範囲の広い反射特性をもった第２光学特性部８を配置するのが望ましい。
【００５８】
第２光学特性部８での反射光を天井方向に向けたい場合は、第２光学特性部８の側面の傾斜角度を緩くすることが考えられるが、傾斜角度が緩くなるほど、高い方向からの入射光は第２光学特性部８の側面で反射せずに屈折しやすくなり、天井方向に向かう反射光の割合が少なくなる。そこで、図２（ｄ）に示すように、第２光学特性部８の側面に、傾斜角度の大きい第１側面部７ａと傾斜角度の小さい第２側面部７ｂとを設けてもよい。図２（ｄ）の場合、入射（太陽）光は第１側面部７ａで反射されて第２側面部７ｂの方向に進み、続いて第２側面部７ｂで反射されて天井方向に進む。入射光が入射される第１側面部７ａは、傾斜角度が大きいため、この第１側面部７ａで屈折する光の割合は少なくなり、入射光の大部分を第１側面部７ａと第２側面部７ｂで反射させて、天井方向に向けることができ、入射光の利用効率すなわち採光効率が向上する。
【００５９】
第２光学特性部８の主要構成材料としては、例えばミラーインキ等のミラー材を用いることが考えられる。その理由は、入光角度が高いと、表面反射が起きにくくなるため、ミラー反射を利用して表面反射を起きやすくするのが望ましいためである。一方、第１領域５内の第１光学特性部７は、例えば散乱樹脂、散乱インキ、クリアインキ等の散乱材を用いることが考えられる。入光角度が低いと、表面反射が起こりやすくなるため、第１光学特性部７への入射光を散乱させるのが望ましいためである。
【００６０】
また、散乱樹脂やクリアインキは、ミラーインキ等に比べて安価であるため、入光角度が低い入射光しか入光されない第１領域５には、安価な材料からなる第１光学特性部７を用いることで、光制御部材１全体としての部材コストを抑制できる。
【００６１】
これにより、窓の上方にひさし９がある場合には、窓全体としての採光効率を維持しつつ、光制御部材１の部材コストの抑制も図れる。
【００６２】
なお、屈折率差が大きくなると、入光角度が大きい場合であっても、反射させることが可能になるため、第２領域６内の第２光学特性部８については、ミラー材の代わりに、中空状態にしてもよい。
【００６３】
窓の近くにビルがある場合、太陽光がビルによって遮光されて、窓の一部の領域には、太陽が高い位置にあるときしか太陽光が入光されなかったりする。この場合、その領域に、太陽光が入光する角度範囲だけ採光に利用できるような材料からなる部材を設けてもよい。
【００６４】
また、上述した説明では、鉛直方向に置かれた窓用の光制御部材１について説明したが、天井面や傾斜面に設けられる窓に本実施形態の光制御部材１を用いてもよい。天井面や傾斜面に光制御部材１が配置される場合も、時間帯や季節によって、光制御部材１に入光される太陽光の入光方向と入光角度が変わるため、例えば最適な採光効率が得られるように、複数の領域に分けて、各領域ごとにそれぞれ光学特性が異なる部材を配置してもよい。
【００６５】
さらに、上述した説明では、光制御部材１を鉛直方向に２つの領域（第１領域５と第２領域６）に分ける例を説明したが、鉛直方向に分ける領域の数には特に制限はない。太陽光の入光方向および入光角度は随時変化するため、光制御部材１をより細かく複数の領域に分けて、太陽光の入光方向および入光角度に合わせて、より最適な採光効率が得られるように、各領域内の溝の形状、サイズ、間隔および数の少なくとも一つを各領域ごとに最適化してもよい。さらにそれに加えて、各領域内の溝に充填される光制御材料も各領域ごとに最適化してもよい。
【００６６】
このように、第１の実施形態では、光学特性が互いに異なる第１光学特性部７と第２光学特性部８をそれぞれ有する第１領域５と第２領域６を鉛直方向に並べて配置するため、光制御部材１全体としての採光効率を向上させることができる。特に、本実施形態では、第１光学特性部７と第２光学特性部８の形状やサイズを互いに変えることで、互いの光学特性を相違させるため、互いの充填物のみを変えるよりも、光学特性を大きく相違させることができる。したがって、例えば反射方向を大きく変えることができる。
【００６７】
また、第１光学特性部７と第２光学特性部８のそれぞれに、光反射、光吸収、光屈折、光透過および発光の少なくとも一つを含む光学特性を独立して持たせることで、種々の環境条件に見合った光制御部材１を作製できる。よって、本実施形態によれば、照明装置や空調設備の使用を抑制でき、エネルギー消費と二酸化炭素の排出量を抑制できる。
【００６８】
（第２の実施形態）
以下に説明する第２の実施形態は、光学特性が互いに異なる第１光学特性部１４と第２光学特性部１５をそれぞれ有する第１領域１１と第２領域１２を水平方向に並べて配置するものである。
【００６９】
上述したように、太陽光は、日中の時間によって入光方向が随時変化する。したがって、光制御部材１を第１の実施形態のように鉛直方向に複数の領域に分割して各領域ごとに光学特性を変えても、時間帯によっては、所望の採光効率が得られないおそれがある。
【００７０】
そこで、以下に説明する第２の実施形態に係る光制御部材１では、異なる複数の時間帯で効率よく採光を行える複数の領域を一つの光制御部材１内に設けるものである。
【００７１】
図３は第２の実施形態に係る光制御部材１の断面図である。図３の光制御部材１は、例えば南向きの窓に採光用として貼り付けられる。この光制御部材１は、図３（ａ）に示すように、それぞれが鉛直方向に配置される第１領域１１、第２領域１２および第３領域１３を備えている。第１領域１１、第２領域１２および第３領域１３のそれぞれには、溝に充填物を充填した第１光学特性部、第２光学特性部および第３充填部が設けられている。
【００７２】
第１領域１１は、図３（ｄ）に示すように、斜め左すなわち西側からの外光を室内に直進させ、その他の方向からの外光を散乱させる光学特性を有する。このような光学特性を持たせるには、西側からの外光が第１領域１１内の第１光学特性部の側面で反射されて室内を直進するように、第１光学特性部の側面を傾斜させればよい。また、他の方向からの外光が第１光学特性部の側面で散乱されるように、第１光学特性部の主要構成材料には散乱材を含めるのが望ましい。
【００７３】
第２領域１２は、図３（ｂ）に示すように、斜め右すなわち東側からの外光を室内に直進させ、その他の方向からの外光を散乱させる光学特性を有する。このような光学特性を持たせるには、東側からの外光が第２光学特性部内の第２光学特性部の側面で反射されて室内を直進するように、第２光学特性部の側面を傾斜させればよい。また、他の方向からの外光が第２光学特性部１５の側面で散乱されるように、第２光学特性部の主要構成材料には散乱材を含めるのが望ましい。
【００７４】
第３領域１３は、図３（ｃ）に示すように、正面すなわち南側からの外光を室内に直進させ、その他の方向からの外光を散乱させる光学特性を有する。このような光学特性を持たせるには、第３領域１３内の第３充填部の側面を正面方向から斜め下方に傾斜させればよい。また、他の方向からの外光が第２光学特性部１５の側面で散乱されるように、第２光学特性部の主要構成材料には散乱材を含めるのが望ましい。
【００７５】
なお、直進とは、光制御部材１のシート面の法線方向に光を進行させる場合だけでなく、光をシート面の法線方向から斜め上方または斜め下方に進行させる場合も含むものとする。
【００７６】
図３の光制御部材１は、太陽光の入光角度が一日の間に変化しても、第１領域１１〜第３領域１３のいずれかの領域を用いて、太陽光を室内に直進させることができるため、第１光学特性部第２光学特性部日中の時間帯によらず、採光効率を均一化できる。
【００７７】
図３では、光制御部材１を鉛直方向に３つの領域に分ける例を説明したが、分ける領域の数には特に制限はない。また、各領域の面積は必ずしも同じである必要はない。
【００７８】
また、光制御部材１内の各領域は、必ずしも採光効率を向上させることを意図したものでなくてもよい。すなわち、光制御部材１内の各領域は、光反射、光吸収、光屈折、および発光の少なくとも一つを含む光学特性を独立して持っていればよい。
【００７９】
このように、第２の実施形態では、光制御部材１の水平方向に沿って複数の領域を設けて、各領域に独立した光学特性を持たせるため、例えば、太陽光の入光方向が一日の間に変化しても、時間によらず、採光効率を均一化することができる。
【００８０】
（第３の実施形態）
上述した第１および第２の実施形態では、光制御部材１の透明基材の内部に、光学特性の異なる第１光学特性部２３と第２光学特性部２４を離隔して形成する例を説明したが、これら第１光学特性部２３と第２光学特性部２４が透明基材に一体成形されたプリズムシートを用いてもよい。
【００８１】
図４は第１および第２の実施形態に係る光制御部材１に適用可能なプリズムシート２０の一例を示す図である。図４のプリズムシート２０は、プリズム形状の第１光学特性部２３が透明基材上に一体成形された第１領域２１と、第１光学特性部２３とは異なるプリズム形状の第２光学特性部２４が透明基材上に一体成形された第２領域２２とを備えている。図４のプリズムシート２０を第１の実施形態に適用する際には、第１領域２１と第２領域２２を鉛直方向に並べて配置すればよい。また、図４のプリズムシート２０を第２の実施形態に適用する際には、第１領域２１と第２領域２２を水平方向に並べて配置すればよい。
【００８２】
図４のプリズムシート２０内の第１光学特性部２３と第２光学特性部２４は、光反射、光屈折、光吸収および発光の少なくとも一つを含む光学特性が互いに相違している。このような光学特性を相違させるには、第１光学特性部２３と第２光学特性部２４の形状、サイズ、間隔および数の少なくとも一つを互いに相違させればよい。また、これに加えて、例えば、透明基材と一体成形された第１光学特性部２３と第２光学特性部２４の一方に、光学特性を相違させる材料を添加すればよい。第１光学特性部２３と第２光学特性部２４とで、光学特性を相違させることにより、上述した第１および第２の実施形態における第１領域２１および第２領域２２と同様の機能を持たせることができる。
【００８３】
（第４の実施形態）
上述した第１〜第３の実施形態では、窓や採光具に貼り付けることが可能な光制御部材１の例を説明したが、以下に説明する第４の実施形態に係る光制御部材１は、必要に応じて窓に重ねて配置可能なロールカーテンに適用されるものである。
【００８４】
図５は第４の実施形態に係る光制御部材１を貼り付けたロールカーテン３０を示す図である。図５のロールカーテン３０は、太陽光の入光角度が季節によって異なることを考慮に入れて、冬の入光角度に適合した第１領域３１と、春および秋用の入光角度に適合した第２領域３２と、夏用の入光角度に適合した第３領域３３と、季節によらず入射光を散乱させる機能を有する第４領域３４と、季節によらず入射光に含まれる熱線を吸収する機能を有する第５領域３５とを有する。
【００８５】
第１領域３１〜第５領域３５は、それぞれの内部に設けられる充填部の形状がそれぞれ異なっており、これにより、入射光に対する反射特性、屈折特性、吸収特性、および発光特性の少なくとも一つを含む光学特性がそれぞれ異なっている。より具体的には、第１領域３１内の充填部は、冬の入光角度からの入射光を例えば天井の方向に反射させる傾斜角度の側面を有する。第２領域３２内の充填部は、春と秋の入光角度からの入射光を例えば天井の方向に反射させる傾斜角度の側面を有する。春と秋の入光角度は、冬の入光角度よりも大きいため、第２領域３２内の充填部の側面の傾斜角度は、第１領域３１内の充填部の側面の傾斜角度よりも大きい角度に設定される。第３領域３３内の充填部は、夏の入光角度からの入射光を例えば天井の方向に反射させる傾斜角度の側面を有する。夏の入光角度は高いため、例えば図２（ｄ）に示したように、充填部の側面に互いに傾斜角度が異なる第１傾斜部７ａと第２傾斜部７ｂを設けて、第１傾斜部７ａで反射された光を第２傾斜部７ｂでさらに反射させて、天井の方向に進行させてもよい。第４領域３４内の充填部は、入射光の入射方向によらず入射光を散乱させることができるように、その主要構成材料には散乱材が含有される。第５領域３５内の充填部は、入射光の入射方向によらず入射光に含まれる近赤外領域や近紫外領域の光を吸収することができるように、その主要構成材料には熱線吸収材が含有される。
【００８６】
なお、図５は、第１領域３１〜第５領域３５の合計５つの領域を有する例を示しているが、領域の数と各領域の機能は任意に変更して構わない。すなわち、ロールカーテン３０は、入射光に対する反射特性、屈折特性、吸収特性、および発光特性の少なくとも一つを含む光学特性がそれぞれ異なる少なくとも２つの領域を備えていればよい。
【００８７】
図６は図５のロールカーテン３０の使用方法の一例を示す図である。ロールカーテン３０の巻き取り量を調整して、季節に応じた領域を窓３に重ねて配置する。ロールカーテン３０に設けられる各領域の巻き取り方向のサイズは、窓３の上下方向サイズに合わせており、図６（ａ）のように、窓３の全面に対して、一つの領域を重ねて配置することができる。
【００８８】
なお、窓３の上部では採光のために入射光を散乱させ、窓３の下部では熱線を吸収して断熱機能を持たせたい場合は、図６（ｂ）のように、窓３の上部には図５の第４領域３４を配置し、窓３の下部には図６の第５領域３５を配置してもよい。この場合、第４領域３４と第５領域３５を合わせた上下方向長さを、窓３の上下方向長さに合わせる必要がある。また、窓の下部側に配置される第５領域３５は、人間の目線が届きやすいことから、可視光透過性を高めるために、クリアフィルムと同材料で構成してもよいし、あるいは、第２の実施形態の最後で説明したように、第５領域３５内の溝に、ロールカーテン３０の基材と同じ光学特性を持つ何等かの材料を充填してもよい。
【００８９】
図６の例では、ロールカーテン３０を上下方向に移動させる例を説明したが、ロールカーテン３０を水平方向に移動させる場合には、水平方向に沿って複数の領域を設ければよい。
【００９０】
このように、第４の実施形態では、ロールカーテン３０に光学特性の異なる複数の領域を設けるため、入射光の入光角度や入光方向に応じて、適切な領域を選択して、窓３に重ねて配置することができ、ユーザが任意にロールカーテン３０の光学特性を選択できる。
【００９１】
（第５の実施形態）
上述した第１〜第４の実施形態では、光制御部材１に光学特性が相違する複数の領域を設ける例を説明したが、光学特性が異なる部材等を備える各領域では、第１光学特性部７等の配置により、外観が異なって視認される。そこで、第５の実施形態では、光制御部材１の光学特性が外観に影響を与えることを積極的に利用して、光制御部材１の外観に意匠性を持たせるものである。
【００９２】
図７は第５の実施形態に係る光制御部材１の例を示す図である。図７（ａ）は鉛直方向に２つの領域４１，４２を設ける例、図７（ｂ）は水平方向に２つの領域４１，４２を設ける例、図７（ｃ）は上半分を左右に２つの領域４１，４２に分けて、下半分に別の領域４３を設ける例、図７（ｄ）はそれぞれが異なる複数の領域４４を縦横に複数個ずつ配置する例、図７（ｅ）は外観が図形や記号等を表す複数の領域４４を設ける例をそれぞれ示している。
【００９３】
領域４５には、月、矢印および顔マークが描かれているが、所定の光学特性を持った部材によって表現可能な意匠は、例えば、英数文字記号情報、図形情報および画像情報などである。領域４５のように、何等かの意匠を外観に表す場合は、光制御部材１を縦横に細かく領域分けして、各領域内の溝の深さを変える等して、外観に差異が出るようにすればよい。このとき、一部の溝を周囲の透明基材と同じ外観にしたい場合は、透明基材と同じ光学特性の何等かの材料を充填すれば、この溝については、透明基材と外観上の区別をつかなくさせることができる。
【００９４】
意匠性を持たせることだけを念頭に置いて、各領域内にそれぞれ光学特性の異なる部材等を配置すると、本来の光学特性が十分に得られないおそれがある。そこで、本来の光学特性が損なわれない範囲で、部材等の配置を工夫して、各領域に意匠性を持たせる必要がある。
【００９５】
また、図７（ａ）〜図７（ｃ）では、各領域内に第１光学特性部７等を均等に配置しているが、各領域ごとに溝の深さ等の溝の形状が異なるために、各領域の外観が異なっている。そこで、外観の異なる複数の領域を一次元方向または二次元方向に任意に配置することで、濃淡や色合いの異なる種々のパターンを作製でき、このパターンにより意匠性を持たせることができる。なお、２つの領域の外観をまったく異なったものにしたい場合は、各領域内の溝の形状を大きく変えればよい。一方、２つの領域の外観を同じではないが似通ったものにしたい場合は、各領域内の溝の形状を互いに相似形にすればよい。
【００９６】
また、各領域内の溝の形状やサイズを変えるだけでなく、溝に充填する充填物の種類を変えることでも、外観に差異を出すことができる。
【００９７】
さらに、各領域内の第１光学特性部７等に蓄光材や蛍光材を含めることで、所望の色で発光させることができ、発光色や発光強度により、意匠性を持たせてもよい。
【００９８】
第５の実施形態は、上述した第１〜第４の実施形態と任意に組み合わせて実施してもよい。これにより、光制御部材１の各領域に所望の光学特性を持たせることができるとともに、意匠としても優れた光制御部材１を作製できる。
【００９９】
上述した各実施形態では、窓３やロールカーテン３０に、太陽光の直射光が入光される例を説明したが、図８に示すように、太陽光をいったんライトシェルフ５０で受けて、その反射光を窓３やロールカーテン３０に入光させてもよい。すなわち、窓３やロールカーテン３０は、太陽光の間接光を採光等に利用してもよい。
【０１００】
ライトシェルフ５０は、一般に建物の外壁の外側に取り付けられるため、ライトシェルフ５０での反射光は、斜め上向きに窓３やロールカーテン３０に入射されることになる。よって、窓３やロールカーテン３０用の光制御部材１内に、図１に示した第１光学特性部７や第２光学特性部８がある場合には、ライトシェルフ５０からの反射光は第１光学特性部７や第２光学特性部８の下側の側面に入射されることになる。この側面の傾斜角度によっては、この側面に入射されたライトシェルフ５０からの光は、下方に反射されてしまう。このため、ライトシェルフ５０を設けた場合は、第１光学特性部７は第２光学特性部８の下側の側面に入光したライトシェルフ５０からの光が斜め上方に反射されるように、この側面の傾斜角度を調整する必要がある。あるいは、ライトシェルフ５０からの光を側面で散乱させてもよい。また、ライトシェルフ５０からの反射光はライトシェルフ５０の下方には届かないため、ライトシェルフ５０の上側と下側で、第１光学特性部７や第２光学特性部８の構造を変える必要がある。
【０１０１】
図８は、ライトシェルフ５０の設置場所よりも上方に第１領域５を設け、下方に第２領域６を設ける例を示している。ライトシェルフ５０での反射光は、第１領域５内には入射されるが、第２領域６内には入射されない。このため、第１領域５内の第１光学特性部７の下側の側面を傾斜させて、ライトシェルフ５０からの反射光をこの側面でさらに反射させて、斜め上方に進行させる。また、第２領域６内の第２光学特性部８の下側の側面は傾斜させずにシート面１ａの法線方向に延在させている。また、第１光学特性部７の主要構成材料に散乱材を含有させて、第２領域６内の第２光学特性部８は上側から下側に向かうに従って、散乱特性が徐々に弱まって可視光透過特性が徐々に高くなるように、第２光学特性部８の主要構成材料またはその添加物を変化させる。
【０１０２】
これにより、図８の例では、第１領域５では太陽からの直接光とライトシェルフ５０からの間接光の両方を採り込んで室内を明るく照明できるとともに、第２領域６では下側ほど可視光透過率が向上するため、太陽光が入りにくい下側が暗くなるのを防止できる。
【０１０３】
（第６の実施形態）
上述した第１〜第５の実施形態では、太陽光などの外光を光制御部材１に入光する例を説明したが、本発明は、建物内の照明光を光制御部材１に入光して採光制御を行う場合にも適用可能である。
【０１０４】
図９は第６の実施形態に係る光制御部材１を説明する図である。図９の光制御部材１は、光制御層５１と光反射層５２を備えている。この光制御部材１は、例えば建物内の鉛直方向に延びる壁５０に貼り付けられる。壁５０側には光反射層５２が配置され、建物内の照明装置５７からの照明光５７ａは光制御層５１の一方の表面（以下、入光面）１ａに入光される。
【０１０５】
光制御層５１の入光面１ａに対向する側、すなわち光反射層５２側には、第１傾斜面５３と第２傾斜面５４が交互に、複数個ずつ配置されている。第１傾斜面５３と第２傾斜面５４の入光面１ａの法線方向ｄ１に対する傾斜角度は、例えば、光制御部材１の上側の領域（以下、第１領域）５５と、下側の領域（以下、第２領域）５６とで異なっている。これにより、建物内の照明光５７ａに対する反射特性を、第１領域５５と第２領域５６とで変えることができる。
【０１０６】
図１０は図９の光制御部材１の拡大断面図である。入光面１ａに入射された照明光５７ａは、入光面１ａで屈折されて、第１傾斜面５３または第２傾斜面５４の方向に進む。第２傾斜面５４は、第１傾斜面５３よりも、入光面１ａの法線方向ｄ１に対する角度が小さい。このため、第２傾斜面５４に到達した照明光５７ａは、第２傾斜面５４を透過して光反射層５２で拡散反射されて、入光面１ａを通って建物内を進行する。また、入光面１ａに入射されて第１傾斜面５３に到達した照明光５７ａは、第１傾斜面５３で反射されて、第２傾斜面５４に到達し、さらに第２傾斜面５４で反射されて、入光面１ａを通って建物内を進行する。さらに、図１０の例では、第１傾斜面５３と第２傾斜面５４の間に平坦な面５８が設けられており、この面５８は光反射層５２に接している。この面に入光面１ａからの光が入射されると、この面で反射されて、入光面１ａを通って建物内を進行する。
【０１０７】
上述した第１領域５５と第２領域５６を光制御部材１の鉛直方向に沿って上下に設ける場合、照明装置５７が建物内の天井にあるとすると、照明装置５７からの照明光５７ａの入射角度は、第１領域５５と第２領域５６でそもそも異なるため、第１傾斜面５３と第２傾斜面５４の傾斜角度が第１領域５５と第２領域５６とで同じであったとしても、照明光５７ａの反射方向は第１領域５５と第２領域５６とで異なったものになるが、さらに第１傾斜面５３と第２傾斜面５４の傾斜角度を第１領域５５と第２領域５６とで相違させることで、第１領域５５と第２領域５６の反射特性を大きく変えることができる。
【０１０８】
また、図９の光制御部材１は、照明光５７ａを反射させる目的のみに用いる以外に、領域によって、着色粒子を混入する等して、照明光５７ａの吸収や熱吸収を行う等の機能を持たせてもよい。
【０１０９】
さらに、図９の光制御部材１の領域分けは、鉛直方向だけでなく、水平方向に行ってもよい。
【０１１０】
また、図９の光制御部材１を領域分けして、各領域にそれぞれ異なる光学特性を持たせるようにすると、各領域の外観がそれぞれ相違するため、第５の実施形態と同様に、各領域の外観の相違を積極的に利用して、光学的な機能だけでなく、意匠としても優れた光制御部材１を作製することも可能である。
【０１１１】
本発明の態様は、上述した個々の実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【０１１２】
１  光制御部材、１ａ  入光面、２  接合層、３  窓または採光具、４  保護層、５  第１領域、６  第２領域、７  第１光学特性部、８  第２光学特性部、９  ひさし、１１  第１領域、１２  第２領域、１３  第３領域、１４  第１光学特性部、１５  第２光学特性部、１６  第３光学特性部、２０  プリズムシート、２１  第１領域、２２  第２領域、２３  第１光学特性部、２４  第２光学特性部、３０  ロールカーテン、３１  第１領域、３２  第２領域、３３  第３領域、３４  第４領域、３５  第５領域、４１〜４５  領域、５０  壁、５１  光制御層、５２  光反射層、５３  第１傾斜面、５４  第２傾斜面、５５  第１領域、５６  第２領域、５７  照明装置、５７ａ  照明光、５８  平坦面
【図１】
2014238511.tif 000003
【図３】
2014238511.tif 000004
【図４】
2014238511.tif 000005
【図７】
2014238511.tif 000006
【図８】
2014238511.tif 000007
【図９】
2014238511.tif 000008
【図１０】
2014238511.tif 000009
【図２】
2014238511.tif 000010
【図５】
2014238511.tif 000011
【図６】
2014238511.tif 000012